(57)【要約】      （修正有）【課題】桟部材に受け部材を容易且つ迅速に取り付けるとができる太陽電池モジュールの架台を提供する。【解決手段】太陽電池モジュール本体１１の裏面に固定されたサポート部材１２を備えた太陽電池モジュールを設置するための太陽電池モジュール用架台であって、支柱と、支柱により支持される桟部材２３と、桟部材２３に取り付けられ、サポート部材１２を受け止めて太陽電池モジュールを支持する受け部材２５とを備え、受け部材２５は、桟部材側に延設され、桟部材２３に係止するための係止片２５ｈが設けられ、桟部材２３の上側の側板２３ｂは、受け部材２５の係止片２５ｈが上方から貫通して係止される被係合部２３ｃを備える。【選択図】図９
2014034764.tif 000002
【特許請求の範囲】
【請求項１】
太陽電池モジュール本体の裏面に固定されたサポート部材を備えた太陽電池モジュールを設置するための太陽電池モジュール用架台であって、
支柱と、前記支柱により支持される桟部材と、前記桟部材に取り付けられ、前記サポート部材を受け止めて前記太陽電池モジュールを支持する受け部材とを備え、
前記受け部材は、前記桟部材側に延設され、前記桟部材に係止するための係止片が設けられ、
前記桟部材は、前記受け部材の係止片が上方から貫通して係止される被係合部を備えることを特徴とする太陽電池モジュール用架台。
【請求項２】
請求項１に記載の太陽電池モジュール用架台において、
前記桟部材は、前記被係合部が設けられた上側の側板を備え、前記受け部材は、前記上側の側板を跨いで桟部材側に突き出る突片が設けられていることを特徴とする太陽電池モジュール用架台。
【請求項３】
請求項１または２に記載の太陽電池モジュール用架台において、
前記受け部材は、前記係止片および前記突片が設けられる主板を備え、
前記係止片および前記突片は、前記主板の一部が切り込まれ折り曲げられていることを特徴とする太陽電池モジュール用架台。
【請求項４】
請求項１から請求項３の何れか１項に記載の太陽電池モジュール用架台において、
前記受け部材は、前記係止片が設けられる主板と、前記主板の端部から上方に延設され、前記サポート部材に当接される側板とを備えることを特徴とする太陽電池モジュール用架台。
【請求項５】
請求項１から請求項４の何れか１項に記載の太陽電池モジュール用架台において、
前記サポート部材に対して複数の太陽電池モジュールが固定されることを特徴とする太陽電池モジュール用架台。
【請求項６】
太陽電池モジュール本体の裏面に固定されたサポート部材を備えた太陽電池モジュールの設置構造であって、
支柱と、前記支柱により支持される桟部材と、前記桟部材に取り付けられ、前記サポート部材を受け止めて前記太陽電池モジュールを支持する受け部材と、前記サポート部材の一部を前記受け部材との間で挟持して固定する固定部材とを備え、
前記受け部材は、前記桟部材側に延設されて前記桟部材に係止するための係止片と、前記係止片が設けられる主板と、前記主板の端部から上方に延設され、前記サポート部材に当接される側板とを備え、
前記桟部材は、前記受け部材の係止片が貫通して係止される上側の側板を備えることを特徴とする太陽電池モジュールの設置構造。
【請求項７】
請求項１から請求項３の何れか１項に記載の太陽電池モジュール用架台を用いて太陽電池モジュールを設置する太陽電池モジュールの設置方法であって、
前記桟部材の前記上側の側板に前記受け部材の前記係止片を係止させることにより、前記桟部材に前記受け部材を取り付ける工程と、
前記太陽電池モジュールを前記架台に取り付けられた前記受け部材に載置する工程と、
前記サポート部材の一部を前記受け部材とで挟持するように、固定部材を用いて固定する工程とを備えることを特徴とする太陽電池モジュールの設置方法。
【請求項８】
請求項７に記載の太陽電池モジュールの設置方法であって、
前記受け部材は、前記係止片が設けられる主板と、前記主板の端部から上方に延設され、前記サポート部材に当接される側板とを備え、
前記太陽電池モジュールを前記受け部材に載置する工程が、前記受け部材の前記側板に前記太陽電池モジュールの前記サポート部材が当接するように、前記太陽電池モジュールを前記架台に載置することを特徴とする太陽電池モジュールの設置方法。
【請求項９】
請求項１から請求項５の何れか１項に記載の太陽電池モジュール用架台を用いて、前記サポート部材を備えた太陽電池モジュール本体が設置されている太陽光発電システム。
【発明の詳細な説明】
【技術分野】
【０００１】
本発明は、太陽光を光電変換する太陽電池モジュールを設置する太陽電池モジュール用架台、太陽電池モジュールの設置構造、太陽電池モジュールの設置方法、及び太陽光発電システムに関する。
【背景技術】
【０００２】
従来の太陽光発電システムとして、太陽電池モジュールを架台上に固定支持するものが公知である（例えば、特許文献１参照）。すなわち、太陽電池モジュールは、太陽光を光電変換する太陽電池セルを受光面ガラスと裏面ガラスとの間に介在させた合わせガラス構造の太陽電池パネルを備え、裏面ガラスの表面に、長尺状の支持部材（サポート部材）が前記太陽電池パネルの長手方向に沿って配置固定されている。架台は、コンクリー製の基礎に、ベース桟およびアームからなる台部材を設け、台部材により横桟および縦桟からなる桟部材を支持したものである。
【０００３】
そして、太陽電池モジュールの支持部材が、取付金具および案内支持具を介して桟部材に固定される。具体的には、桟部材には、貫通するＴ字形孔が形成されており、このＴ字形孔に取付金具に形成されたＴ字形支持片を、桟部材のＴ字形孔に桟部材の下方から挿通して係合することで、取付金具を桟部材に取り付ける。また、案内支持具は、桟部材の上面に配置され、案内支持具と取付金具とをボルトで締結することにより、太陽電池パネルの支持部材を桟部材に固定し、桟部材に複数の太陽電池モジュールを架け渡して、各太陽電池モジュールを支持するようにしている。
【先行技術文献】
【特許文献】
【０００４】
【特許文献１】特開２０１１−２２２９３０号公報
【発明の概要】
【発明が解決しようとする課題】
【０００５】
産業用の太陽光発電システムにおいては、複数個の太陽電池モジュールを架台に並べて配置するのが一般的であるため、その複数個の太陽電池モジュールを架台に効率良く迅速に設置することが施工作業上重要な課題である。
【０００６】
特許文献１は、取付金具を桟部材に取り付ける際に、取付金具のＴ字形支持片を、桟部材の下方からＴ字形孔に挿通して係合する構成である。このため、作業者が桟部材の上方から取付金具を桟部材に取り付ける場合、取付金具が桟部材の上方から目視できず、取付金具の取り付け作業が困難となる問題がある。そのため、太陽電池モジュールの設置作業に時間がかかるといった問題があった。
【０００７】
本発明はかかる問題点を解決すべく創案されたもので、その目的は、桟部材に受け部材を容易且つ迅速に取り付けるとができ、太陽電池モジュールの架台への設置作業性を向上することが可能な太陽電池モジュール用架台、太陽電池モジュールの設置構造、太陽電池モジュールの設置方法、及び太陽光発電システムを提供することにある。
【課題を解決するための手段】
【０００８】
上記課題を解決するため、本発明の太陽電池モジュール用架台は、太陽電池モジュール本体の裏面に固定されたサポート部材を備えた太陽電池モジュールを設置するための太陽電池モジュール用架台であって、支柱と、前記支柱により支持される桟部材と、前記桟部材に取り付けられ、前記サポート部材を受け止めて前記太陽電池モジュールを支持する受け部材とを備え、前記受け部材は、前記桟部材側に延設され、前記桟部材に係止するための係止片が設けられ、前記桟部材は、前記受け部材の係止片が上方から貫通して係止される被係合部を備えることを特徴とする。
【０００９】
本発明によれば、前記サポート部材を受け止める受け部材を桟部材に取り付けるのに際して、前記受け部材の係止片を、前記受け部材の上方から桟部材の上側の側板に貫通させて係止すればよいので、作業者は、受け部材を目視しながら桟部材に取り付けることができる。しかも、このとき、受け部材は桟部材にボルトで締結する必要もない。この結果、桟部材に受け部材を容易且つ迅速に取り付けることができ、太陽電池モジュールの架台への設置作業性を向上することができる。
【００１０】
また、本発明の太陽電池モジュール用架台において、前記桟部材は、前記被係合部が設けられた上側の側板を備え、前記受け部材は、前記上側の側板を跨いで桟部材側に突き出る突片が設けられていることを特徴とする。
【００１１】
本発明によれば、受け部材は、桟部材の上側の側板を跨いで桟部材側に突き出る突片が設けられているので、桟部材に対する受け部材の位置を容易に位置決めでき、桟部材に対して受け部材が回転するのを規制できる。
【００１２】
また、本発明の太陽電池モジュール用架台において、前記受け部材は、前記係止片および前記突片が設けられる主板を備え、前記係止片および前記突片は、前記主板の一部が切り込まれ折り曲げられていることを特徴とする。
【００１３】
本発明によれば、係止片および突片は受け部材の主板の一部が切り込まれ折り曲げられているので、板部材の簡単な加工で受け部材を容易に製作することができる。
【００１４】
また、本発明の太陽電池モジュール用架台において、前記受け部材は、前記係止片が設けられる主板と、前記主板の端部から上方に延設され、前記サポート部材に当接される側板とを備えることを特徴とする。
【００１５】
本発明によれば、前記受け部材の係止片の設けられる主板の端部から上方に延設された側板をサポート部材に当接させることが可能であるので、受け部材により確実に太陽電池モジュールを受け止めることができる。
【００１６】
また、本発明の太陽電池モジュール用架台において、前記太陽電池モジュールは、前記サポート部材に対して複数の太陽電池モジュールが固定されていることを特徴とする。
【００１７】
本発明によれば、共通のサポート部材に対して複数の太陽電池モジュール本体が固定されているので、効率の良い設置作業が実現できる。
【００１８】
本発明の太陽電池モジュールの設置構造は、太陽電池モジュール本体の裏面に固定されたサポート部材を備えた太陽電池モジュールの設置構造であって、支柱と、前記支柱により支持される桟部材と、前記桟部材に取り付けられ、前記サポート部材を受け止めて前記太陽電池モジュールを支持する受け部材と、前記サポート部材の一部を前記受け部材との間で挟持して固定する固定部材とを備え、前記受け部材は、前記桟部材側に延設されて前記桟部材に係止するための係止片と、前記係止片が設けられる主板と、前記主板の端部から上方に延設され、前記サポート部材に当接される側板とを備え、前記桟部材は、前記受け部材の係止片が貫通して係止される上側の側板を備えることを特徴とする。
【００１９】
本発明によれば、太陽電池モジュール本体の裏面に固定されたサポート部材を備えた太陽電池モジュールの設置において、サポート部材を受け止める受け部材を桟部材に取り付けるのに際して、受け部材の係止片を、受け部材の上方から桟部材の上側の側板に貫通させて係止すればよいので、作業者は、受け部材を目視しながら桟部材に取り付けることができる。この結果、桟部材に受け部材を容易且つ迅速に取り付けるとができ、太陽電池モジュールの架台への設置作業性を向上することができる。
【００２０】
本発明の太陽電池モジュールの設置方法は、前記太陽電池モジュール用架台を用いて太陽電池モジュールを設置する太陽電池モジュールの設置方法であって、前記桟部材の前記上側の側板に前記受け部材の前記係止片を係止させることにより、前記桟部材に前記受け部材を取り付ける工程と、前記太陽電池モジュールを前記架台に取り付けられた前記受け部材に載置する工程と、前記サポート部材の一部を前記受け部材とで挟持するように、固定部材を用いて固定する工程とを備えることを特徴とする太陽電池モジュールの設置方法。
【００２１】
本発明によれば、前記太陽電池モジュール用架台を用いて容易に実施することができ、桟部材に受け部材を容易且つ迅速に取り付けるとができる。
【００２２】
また、本発明の太陽電池モジュールの設置方法によれば、前記受け部材は、前記係止片が設けられる主板と、前記主板の端部から上方に延設され、前記サポート部材に当接される側板とを備え、前記太陽電池モジュールを前記受け部材に載置する工程が、前記受け部材の前記側板に前記太陽電池モジュールの前記サポート部材が当接するように、前記太陽電池モジュールを前記架台に載置することを特徴とする。
【００２３】
本発明によれば、前記受け部材により確実に太陽電池モジュールを受け止めることができるとともに、桟部材に受け部材を容易且つ迅速に取り付けるとができ、太陽電池モジュールの架台への設置作業性を向上することができる。
【００２４】
また、本発明の太陽光発電システムは、前記太陽電池モジュール用架台を用いて、太陽電池モジュール本体の裏面に固定されたサポート部材を備えた太陽電池モジュール本体が設置されている。
【００２５】
本発明の太陽電池モジュール用架台を用いることによって、設置の作業性に優れた太陽光発電システムを提供することができる。
【発明の効果】
【００２６】
本発明は、サポート部材を受け止める受け部材を桟部材に取り付けるのに際して、受け部材の係止片を、受け部材の上方から桟部材の上側の側板に貫通させて係止すればよいので、桟部材に受け部材を容易且つ迅速に取り付けることができ、太陽電池モジュールの架台への設置作業性を向上することができる。
【図面の簡単な説明】
【００２７】
【図１】本発明の実施形態に係る太陽電池モジュール本体を一体に組み付けた太陽電池モジュールを架台に設置した状態の太陽光発電システムの全体構成を示す概略斜視図である。
【図２】図１に示す太陽光発電システムの概略左側面図である。
【図３】太陽電池モジュールを架台に設置する前の状態を示す概略分解斜視図である。
【図４】サブユニットを受光面側から視た概略斜視図である。
【図５】サブユニットを受光面とは反対側の裏面側から視た概略斜視図である。
【図６】サブユニットを裏面側から視た状態において一つの太陽電池モジュール本体を分解して示す概略斜視図である。
【図７】支持レールの概略構成を示す概略斜視図である。
【図８】支持レールの概略構成を示す概略断面図である。
【図９】縦桟に固定される受け部材に対して左右方向に隣り合う各支持レールの設置端部が突き合わされて固定具で固定される状態を斜め上から視た概略分解斜視図である。
【図１０】縦桟に受け部材が取り付けられた状態を斜め上から視た概略斜視図である。
【図１１】縦桟に受け部材が取り付けられる直前を斜め下から視た分解斜視図である。
【図１２】縦桟に受け部材が取り付けられた状態を斜め下から視た概略斜視図である。
【図１３】縦桟に固定された受け部材に、支持レールの設置端部が嵌合された状態を斜め上から視た概略斜視図である。
【図１４】縦桟に固定された受け部材に対して左右方向に隣り合う各支持レールの設置端部が突き合わされて固定具で固定された状態を斜め上から視た斜視図である。
【図１５】縦桟に固定された受け部材に対して左右方向に隣り合う各支持レールの設置端部が突き合わされて固定具で固定された状態を示す図１０のＨ１−Ｈ１線に沿った概略断面図である。
【図１６】（ａ）〜（ｄ）は、縦桟に受け部材を取り付ける各工程を示す断面図である。
【図１７】（ａ）および（ｂ）は、サブユニットの架台への設置工程を模式的にそれぞれ示す説明図である。
【図１８】（ａ）および（ｂ）は、サブユニットの架台への設置工程を模式的にそれぞれ示す説明図である。
【図１９】（ａ）および（ｂ）は、サブユニットの架台への設置工程を模式的にそれぞれ示す説明図である。
【図２０】本発明の他実施形態に係り、縦桟に受け部材が取り付けられた状態を斜め下から視た概略斜視図である。
【図２１】（ａ）〜（ｃ）は、縦桟に受け部材を係合する各工程を示す断面図である。
【発明を実施するための形態】
【００２８】
以下、本発明に係る実施形態について図面を参照しながら説明する。
【００２９】
＜太陽光発電システムの全体構成の説明＞
まず、本発明の実施形態に係る太陽光発電システムＡの全体構成について図１乃至図３を参照しながら以下に説明する。
【００３０】
図１は、本発明の実施形態に係る太陽電池モジュール本体１１を一体に組み付けたサブユニット１０を架台２０に配設した状態の太陽光発電システムＡの全体構成を示す概略斜視図である。図２は、図１に示す太陽光発電システムＡの概略左側面図である。図３は、サブユニット１０を架台２０に設置する前の状態を示す概略分解斜視図である。
【００３１】
なお、正面（太陽電池モジュールの表面側）に向かって各基礎部２１が並ぶ方向を左右方向Ｘとし、左右方向Ｘ及び垂直方向（上下方向）Ｚの双方に直交する方向を前後方向Ｙとし、縦桟２３の傾斜している方向を傾斜方向Ｗとする。また、太陽電池モジュール本体１１の長手方向を縦方向Ｎとし、太陽電池モジュール本体１１の短手方向を横方向Ｔとする。
【００３２】
図１に示す太陽光発電システムＡは、例えば、ソーラー発電所として利用可能な構成とされている。
【００３３】
太陽光発電システムＡは、太陽電池モジュール本体１１及び支持レール１２（サポート部材の一例）を備えた太陽電池モジュールとして作用するサブユニット１０と、サブユニット１０を支持する架台２０とを備えている。
【００３４】
サブユニット１０は、架台２０に対して、傾斜方向Ｗにｍ段（ｍは１又は２以上の整数、ここではｍ＝２）、左右方向Ｘにｎ列（ｎは１又は２以上の整数）のマトリクス状に並べられたｍ段×ｎ列に設けられている（図１参照）。架台２０は、左右方向Ｘにおいて複数（ここではｎ＋１）個列設されている。ここで、左右方向Ｘにおける両端の架台２０，２０を除く中間位置に架台２０がある場合は、中間位置にある架台２０は、左右方向Ｘに隣り合う各サブユニット１０，１０の共通の架台とされている。
【００３５】
各架台２０〜２０は、サブユニット１０の支持構造を構成し、コンクリート等からなる基礎部２１、アーム部（支柱）２２及び縦桟（桟部材）２３を備えている。アーム部２２及び縦桟２３は、何れも鋼板等の鋼材によって形成されている。
【００３６】
太陽光発電システムＡでは、複数（ここではｎ＋１）個の基礎部２１〜２１は、地面に左右方向Ｘに等間隔に敷設されており、各基礎部２１にそれぞれアーム部２２が固定される。
【００３７】
より詳しく説明すると、各基礎部２１は、上面２１１の前後方向Ｙの中央部にそれぞれアーム部２２の下端部を埋設して垂直方向Ｚに立設している。アーム部２２は、上端部において縦桟２３の前後方向Ｙの中央部がボルト・ナット等の連結部材Ｒ（図１及び図３参照）によって連結されることにより、縦桟２３を支持している。縦桟２３は、前後方向Ｙにおいて後ろ側が高く、前側が低くなるように予め定めた所定の角度で傾斜した状態でアーム部２２に設けられている。
【００３８】
サブユニット１０における支持レール１２は、左右方向Ｘに隣り合う各基礎部２１，２１における各アーム部２２，２２に設けられた縦桟２３，２３の間に左右方向Ｘに沿って架け渡されて縦桟２３，２３に設置されている。縦桟２３，２３は、ｍ段（ここではｍ＝２）のサブユニット１０を傾斜方向Ｗに支持している（図１参照）。
【００３９】
具体的には、下段の列では、太陽電池モジュール本体１１〜１１の裏面に接着部材の一例である接着剤３０（後述する図６参照）を介して接着固定された複数（ここでは２本）の支持レール１２，１２の両側の設置端部１２ｅ，１２ｅが、縦桟２３，２３の搭載傾斜面２３ａ，２３ａの前側複数箇所（ここでは２箇所）に取り付けられた受け部材２５〜２５に嵌め入れられる構造となっている。また、上段の列では、下段の列と同様に、太陽電池モジュール本体１１〜１１の裏面に接着剤３０（後述する図６参照）を介して接着固定された複数（ここでは２本）の支持レール１２，１２の両側の設置端部１２ｅ，１２ｅが縦桟２３，２３の搭載傾斜面２３ａ，２３ａの後側複数箇所（ここでは２箇所）に取り付けられた受け部材２５〜２５に嵌め入れられる構造となっている。
【００４０】
そして、左右方向Ｘにおいて隣り合う各サブユニット１０，１０の支持レール１２，１２の設置端部１２ｅ，１２ｅは、受け部材２５内で互いに突き合わされて、サブユニット１０の載置構造を構成する固定具２４（固定部材の一例であり、後述する図９等参照）により固定されている。
【００４１】
＜太陽電池モジュールの説明＞
次に、本実施形態に係るサブユニット１０の全体構成について図４乃至図８を参照しながら以下に説明する。
【００４２】
図４乃至図８は、本実施形態に係るサブユニット１０の概略構成を示している。図４は、サブユニット１０を受光面側から視た概略斜視図であり、図５は、サブユニット１０を受光面とは反対側の裏面側から視た概略斜視図である。また、図６は、サブユニット１０を裏面側から視た状態において一つの太陽電池モジュール本体１１を分解して示す概略斜視図である。図７は、支持レール１２を示す概略斜視図であり、図８は、支持レール１２を示す概略断面図である。なお、図７及び図８では、支持レール１２の延びている方向を長手方向Ｌ、これに直交する方向を短手方向Ｍとする。
【００４３】
サブユニット１０は、１又は複数（ここでは左右方向Ｘに連設した３個）の太陽電池モジュール本体１１〜１１と、架台２０への取り付け具を兼ねた１又は複数（ここでは短手方向Ｔに平行になるように長手方向Ｎに列設した２本）の支持レール１２，１２とで構成されている。
【００４４】
太陽電池モジュール本体１１は、矩形平板状のものとされており、本実施形態では、図６に示すように、受光面ガラス１１ｂと裏面ガラス１１ｃとの間に太陽電池セル群１１ａを挟み込み、両ガラス１１ｂ，１１ｃの端部を封止した構造となっている。すなわち、本実施形態では、太陽電池モジュール本体１１は、合わせガラス構造の薄膜太陽電池モジュールとされており、フレームレス構造となっている。但し、太陽電池モジュール本体１１は、合わせガラス構造に限定されるものではなく、裏面ガラス１１ｃに代えてフィルム状のバックシートを用いた裏面バックシートタイプのものであってもよい。
【００４５】
支持レール１２は、図７及び図８に示すように、長尺状の主板１２ａ、主板１２ａの短手方向Ｍにおける長辺側の両辺で折り曲げられた各側板１２ｂ，１２ｂ、及び、各側板１２ｂ，１２ｂの下辺で内側に折り曲げられて更に上方に折り曲げられた折返し補強部１２ｃ，１２ｃを有している。すなわち、支持レール１２は、断面形状が略リップ溝形鋼の形状（Ｕ字状の断面形状）とされている。また、支持レール１２は、主板１２ａの上面１２ａ１が接着剤を塗布する接着面となっており、各側板１２ｂ，１２ｂの両端部下側及び各折返し補強部１２ｃ，１２ｃの両端部が設置端部１２ｅ，１２ｅとなっている。かかる構成を備えた支持レール１２は、鋼板を打ち抜いて折り曲げ、その表面にメッキを施すことで形成することができる。
【００４６】
本実施形態に係るサブユニット１０は、上記構成の支持レール１２を、太陽電池モジュール本体１１の裏面（ここでは裏面ガラス１１ｃの外表面）に、太陽電池モジュール本体１１の横方向Ｔに沿って配置固定されたものである。
【００４７】
より詳しく説明すると、サブユニット１０は、複数（ここでは３個）の太陽電池モジュール本体１１〜１１が横方向Ｔに並べられて配設されており、複数（ここでは２本）の支持レール１２，１２が横方向Ｔに隣り合う各太陽電池モジュール本体１１，１１の境界の方向と直交して、縦方向Ｎに一定の間隔をあけて互いに平行に配設されている。そして、サブユニット１０は、接着剤３０（図６参照）を介して各太陽電池モジュール本体１１〜１１の裏面（ここでは裏面ガラス１１ｃの外表面）と支持レール１２，１２の太陽電池モジュール本体１１側の面とが重ねられて接着され、各太陽電池モジュール本体１１〜１１が支持レール１２，１２により連結支持されるようになっている。ここで、横方向Ｔに隣り合う各太陽電池モジュール本体１１，１１の間に、互いの接触による損傷を避ける観点から僅かな隙間（例えば１ｃｍ程度）を設けてもよいし、横方向Ｔに隣り合う各太陽電池モジュール本体１１〜１１を互いに接触させてもよい。また、図６では分かり易いように接着剤３０を太陽電池モジュール本体１１側に配置塗布したものを図示したが、支持レール１２側に塗布しておいて、太陽電池モジュール本体１１と接着してもよい。また、図６では、支持レール１２を上側とし太陽電池モジュール本体１１を下側としているが、逆に太陽電池モジュール本体１１を上側とし支持レール１２を下側として接着してもよい。また、接着剤３０としては、例えば２液性のシリコーン接着剤を用いることができる。
【００４８】
このように、複数（ここでは２本）の支持レール１２を太陽電池モジュール本体１１の横方向Ｔに沿って平行に配置することで、サブユニット１０を架台２０に載置したとき、縦方向Ｎのがたつきなく、安定して、サブユニット１０を架台２０上に載置固定することができる。
【００４９】
支持レール１２は、太陽電池モジュール本体１１の縦方向Ｎに一定の間隔をあけて、横方向Ｔに沿って平行に配設されているが、本実施形態では、太陽電池モジュール本体１１の裏面において、縦方向Ｎの中央の位置を通る横方向Ｔに平行な中央線α（図５参照）に対して対称又は略対称の位置に設けられている。詳しく説明すると、支持レール１２の配設位置は、太陽電池モジュール本体１１の縦方向Ｎにおける両端縁から予め定めた所定の距離ｔ（図５参照）だけ縦方向Ｎの内側に寄せた位置とされている。
【００５０】
このように、支持レール１２，１２を太陽電池モジュール本体１１の縦方向Ｎにおける両端縁から距離ｔだけ縦方向Ｎの内側に寄せた位置に配設することで、支持レール１２，１２にかかる太陽電池モジュール本体１１の重量をバランス良く分散させることができ、これにより、支持レール１２，１２への重量配分を均一にすることが可能となる。
【００５１】
具体的な数値を例示すると、太陽電池モジュール本体１１は、縦方向Ｎの長さが約１４００ｍｍ、横方向Ｔの長さが約１０００ｍｍの平面視長方形状とされている。各支持レール１２，１２は、太陽電池モジュール本体１１の縦方向Ｎにおける両端縁から縦方向Ｎの内側に約３００ｍｍの距離ｔだけ互いに近づけた位置に配置されている。但し、これらの数値に限定されるものではない。
【００５２】
＜サブユニットの架台への設置構造の説明＞
架台２０上に載置したサブユニット１０を、固定具２４を用いて架台２０に固定する構造について説明する。すなわち、左右方向Ｘに隣り合う各サブユニット１０，１０の支持レール１２，１２の設置端部１２ｅ，１２ｅを架台２０の縦桟２３に取り付けられた受け部材２５に接合する接合構造について、図９乃至図１５を参照しながら以下に説明する。なお、一つの縦桟２３には、複数（本実施形態では４個）の受け部材２５が設けられるが、縦桟２３及び受け部材２５の取り付け構成は、何れも実質的に同様の構成とされているため、１箇所の縦桟２３及び受け部材２５の取り付け構成に代表させて示している。
【００５３】
図９は、縦桟２３に固定される受け部材２５に対して左右方向に隣り合う各支持レール１２の設置端部１２ｅ、１２ｅが突き合わされて固定具２４で固定される状態を斜め上から視た概略分解斜視図である。図１０は、縦桟２３に受け部材２５が取り付けられた状態を斜め上から視た概略斜視図である。図１１は、縦桟２３に受け部材２５が取り付けられる直前を斜め下から視た分解斜視図である。図１２は、縦桟２３に受け部材２５が取り付けられた状態を斜め下から視た概略斜視図である。図１３は、縦桟２３に固定された受け部材２５に、支持レール１２の設置端部１２ｅが嵌合された状態を斜め上から視た概略斜視図である。図１４は、縦桟２３に固定された受け部材２５に対して左右方向に隣り合う各支持レール１２の設置端部１２ｅが突き合わされて固定具２４で固定された状態を斜め上から視た斜視図である。図１５は、縦桟２３に固定された受け部材２５に対して左右方向に隣り合う各支持レール１２の設置端部１２ｅが突き合わされて固定具２４で固定された状態を示す図１０のＨ１−Ｈ１線に沿った概略断面図である。
【００５４】
図９に示すように、縦桟２３の搭載傾斜面２３ａを構成する上側の側板２３ｂの受け部材２５を設ける位置に、雄ねじＳ１のねじ部Ｓ１ａが挿通する貫通孔からなる被係合部としてのＴ字形孔２３ｃが形成されている。各Ｔ字形孔２３ｃは、長孔からなる係合孔２３ｃ１と、係合孔２３ｃ１の一端に設けられたスリット２３ｃ２とからなる。Ｔ字形孔２３ｃは、縦桟２３の長手方向（傾斜方向Ｗ）に形成されており、係合孔２３ｃ１の傾斜上方側端にスリット２３ｃ２が設けられている。また、図９および図１１に示すように、スリット２３ｃ２の長さ寸法Ｗ２は、係合孔２３ｃ１の幅寸法Ｗ１よりも大きく設定されている。
【００５５】
受け部材２５は、縦桟２３の搭載傾斜面２３ａに載置される主板としての設置板２５ａと、設置板２５ａの傾斜上方側の辺２５ａ１から斜め上方に延設された上方側板２５ｂと、設置板２５ａの傾斜下方側の辺２５ａ２から上方に延設された下方側板２５ｃとを備えている。
【００５６】
設置板２５ａには、中央部に雄ねじＳ１のねじ部Ｓ１ａが挿通する貫通孔２５ｅが設けられている。また、設置板２５ａは、一対のＴ字形の係止片２５ｈが、貫通孔２５ｅを中心にして傾斜方向Ｗに沿って所定間隔をおいて設けられている。図１１に示すように、係止片２５ｈは、設置板２５ａから下方に延設された脚部２５ｈ１と、脚部２５ｈ１の下端に一体に設けられた係止部２５ｈ２とからなる。係止片２５ｈは、設置板２５ａの一部がそれぞれ切り込まれ折り曲げられている。
【００５７】
係止部２５ｈ２の長さ寸法Ｗ４は、脚部２５ｈ１の幅寸法Ｗ３よりも大きく設定されている。また、係止部２５ｈ２の長さ寸法Ｗ４は、縦桟２３のスリット２３ｃ２の長さ寸法Ｗ２よりも若干小さく設定されている。また、脚部２５ｈ１の幅寸法Ｗ３は、縦桟２３の係合孔２３ｃ１の幅寸法Ｗ１よりも若干小さく設定されている。
【００５８】
受け部材２５は、桟部材２３の上側の側板２３ｂを跨いで桟部材２３側に突き出る突片２５ｄ〜２５ｄが設けられている。すなわち、突片２５ｄ〜２５ｄは、左右方向Ｘにおいて縦桟２３の上側の側板２３ｂよりも外側で、縦桟２３の上側の側板２３ｂの左右方向Ｘの幅と同程度の間隔をおいて設けられ、突片２５ｄ〜２５ｄが縦桟２３の上側の側板２３ｂを跨いで縦桟２３側に突き出る状態となっている。なお、突片２５ｄ〜２５ｄは、設置板２５ａの一部がそれぞれ切り込まれ折り曲げられている。
【００５９】
このように突片２５ｄ〜２５ｄが、桟部材２３の上側の側板２３ｂを跨いで桟部材２３側に突き出ているため、傾斜方向Ｗにおける受け部材２５の移動を許容する一方、左右方向Ｘにおける受け部材２５の移動を規制する。また、突片２５ｄ〜２５ｄは、縦桟２３に載置された受け部材２５が、縦桟２３の搭載傾斜面２３ａ上で縦桟２３に対して回転するのを規制する。
【００６０】
貫通孔２５ｅは、左右方向Ｘにおいて間隔をおいて設けられた突片２５ｄ〜２５ｄの間に位置している。突片２５ｄ〜２５ｄは、傾斜方向Ｗにも間隔をおいて設けられている。すなわち、突片２５ｄ〜２５ｄは、ここでは、左右方向Ｘに２箇所、傾斜方向Ｗに２箇所の合計４箇所設けられている。この結果、貫通孔２５ｅは、４箇所の突片２５ｄ〜２５ｄを通る対角線の交点の中心に位置している。こうすることで、縦桟２３の上側の側板２３ｂにおけるＴ字形孔２３ｃと受け部材２５の設置板２５ａにおける貫通孔２５ｅとの位置合わせを行い易くすることができる。
【００６１】
すなわち、受け部材２５は、縦桟２３における上側の側板２３ｂに配置されて突片２５ｄ〜２５ｄにより左右方向Ｘへの移動を規制された状態で、雄ねじＳ１のねじ部Ｓ１ａが上側の側板２３ｂの下方側からＴ字形孔２３ｃを通過して受け部材２５の貫通孔２５ｅを挿通する。縦桟２３の上側の側板２３ｂにおけるＴ字形孔２３ｃと受け部材２５の設置板２５ａにおける貫通孔２５ｅとの位置合わせを行い易くしているため、雄ねじＳ１のねじ部Ｓ１ａを、Ｔ字形孔２３ｃと貫通孔２５ｅとに挿通し易くなり、それだけ取り付け作業性を向上させることが可能となる。
【００６２】
図９及び図１５に示すように、固定具２４は、支持レール１２の一部である設置端部１２ｅを受け部材２５との間で挟持して固定するものである。固定具２４は、底板２４ａと、傾斜方向Ｗにおける底板２４ａの対向２辺で斜め上方外側に折り曲げられた各傾斜板２４ｂ，２４ｂと、各傾斜板２４ｂ，２４ｂの上辺２４ｃ，２４ｃで下方に折り曲げられた各側板２４ｄ，２４ｄと、底板２４ａの両端を上方に折曲した側板２４ｅ、２４ｅとを有している。このような構成を備えた固定具２４は、鋼板を打ち抜いて折り曲げ、その表面にメッキを施すことで形成することができる。
【００６３】
本実施形態では、各側板２４ｄ，２４ｄの下端が左右方向Ｘに沿って多数の三角山形状（三角歯状）に形成されている。こうすることで、支持レール１２，１２の設置端部１２ｅ，１２ｅを受け部材２５に確実に保持固定させることができる。
【００６４】
また、固定具２４の底板２４ａの中央部には、雄ねじＳ１のねじ部Ｓ１ａと螺合する雌ねじ孔２４ｆが設けられている。この構成によれば、固定具２４は、受け部材２５の設置板２５ａに載置されて突き合わされた左右方向Ｘに隣り合う各支持レール１２，１２の設置端部１２ｅ，１２ｅ上に載置された状態で、雄ねじＳ１のねじ部Ｓ１ａが、受け部材２５の貫通孔２５ｅを通過して固定具２４の雌ねじ孔２４ｆと螺合する。この結果、受け部材２５に固定された固定具２４により左右方向Ｘに隣り合う各支持レール１２，１２の設置端部１２ｅ，１２ｅを、受け部材２５に確実に固定することができる。
【００６５】
＜サブユニットの架台への設置方法の説明＞
次に、サブユニット１０を架台２０に設置する方法について、図１６乃至図１９を参照して説明する。
図１６は、縦桟２３に受け部材２５を取り付ける各工程を示す断面図である。図１７、図１８および図１９は、サブユニット１０の架台２０への設置工程を模式的にそれぞれ示す説明図である。
【００６６】
先ず、所定間隔に設置された各架台２０の縦桟２３に受け部材２５を取り付ける場合について説明する。受け部材２５の一方の係止片２５ｈを縦桟２３の上側の側板２３ｂのスリット２３ｃ２に挿し込んで（図１６（ａ）参照）、一方の係止片２５ｈをスリット２３ｃ２から係合孔２３ｃ１ヘと移動させる（図１６（ｂ）参照）。
【００６７】
引き続いて、他方の係止片２５ｈを縦桟２３のスリット２３ｃ２に挿し込んで（図１６（ｃ）参照）、他方の係止片２５ｈをスリット２３ｃ２から係合孔２３ｃ１ヘと移動させ、各係止片２５ｈ、２５ｈの係止部２５ｈ２を係合孔２３ｃ１に引っ掛けて、受け部材２５を縦桟２３に取り付ける（図１６（ｄ）参照）。このとき、一方の係止片２５ｈが係合孔２３ｃ１の端面に当接するため、受け部材２５の位置決めがなされる。また、受け部材２５は、目視できる縦桟２３の上方から縦桟２３に挿通して係止させることができるため、桟部材に受け部材２５を容易且つ迅速に取り付けることができる。同様にして、各縦桟２３の所定箇所に受け部材２５を取り付ける。
【００６８】
次に、図１７（ａ）に示すように、図示しない保管場所に保管されていたサブユニット１０をフォークリフト１００で持ち上げ、水平状態又は縦桟２３と同方向に傾斜させた状態でサブユニット１０を保持する。このとき、縦桟２３は、所定の角度（太陽光を最も効率よく受光できる角度）θ１で傾斜されており、これに対しフォークリフト１００で持ち上げられたサブユニット１０は、フォークリフト１００によって多少傾斜させて保持することができるが、その傾斜角度θ２は、縦桟２３の傾斜角度θ１に比べると極めて小さい
次に、図１７（ｂ）に示すように、この保持状態において、架台２０の前方側から接近して、隣接する縦桟２３，２３の搭載傾斜面２３ａ，２３ａの傾斜上方側に取り付けられた前後２箇所（計４箇所）の受け部材２５，２５に、サブユニット１０に固定された前後２本の支持レール１２，１２の両側の設置端部１２ｅ，１２ｅを対峙させる。
【００６９】
このとき、上記したように、縦桟２３の傾斜角度θ１とサブユニット１０の傾斜角度θ２とは異なるため、まず、図１８（ａ）に示すように、保持した状態のサブユニット１０の裏面に固定された傾斜上方側の支持レール１２を、搭載傾斜面２３ａの傾斜上方側の受け部材２５の上方側板２５ｂに接近又は当接させる。
【００７０】
そして、この状態でサブユニット１０全体を降下させることにより、図１８（ｂ）に示すように、傾斜上方側の支持レール１２の設置端部１２ｅが傾斜上方側の受け部材２５に当接する部分を支点として、サブユニット１０を降下方向に回動させる。降下過程において、傾斜上方側の支持レール１２は、受け部材２５に嵌め入れられる。なお、支持レール１２の設置端部１２ｅが受け部材２５の傾斜する上方側板２５ｂに当接する場合には、上方側板２５ｂが案内板としての機能を発揮するため、支持レール１２は、上方側板２５ｂを滑って設置板２５ａ上までスライド移動して、受け部材２５に嵌め入れられる。
【００７１】
サブユニット１０の裏面に固定された傾斜下方側の支持レール１２も、搭載傾斜面２３ａの傾斜下方側に取り付けられている受け部材２５に向かって降下し、最終的に設置板２５ａ上に載置されて嵌め入れられる。以上により、上段側のサブユニット１０が架台２０の縦桟２３に設置される。
【００７２】
なお、各受け部材２５の設置板２５ａから延設された下方側板２５ｃが、支持レール１２に当接して位置決めすることが可能であるので、支持レール１２は、縦桟２３を下方に滑って移動することはない。この結果、上方側板２５ｂおよび下方側板２５ｃ（受け部材２５）により、サブユニット１０を確実に受け止めることができる。
【００７３】
この後、フォークリフト１００をさらに降下させた後（図１９（ａ）参照）、フォークリフト１００を後退させることで（図１９（ｂ）参照）、架台２０の上段側に載置されたサブユニット１０の下からフォークリフト１００の爪が抜き出される。以上により、上段側のサブユニット１０が設置されたので、次に、フォークリフト１００にて次のサブユニット１０を持ち上げ、上記と同様にして下段のサブユニット１０を架台２０の縦桟２３の下段側に設置する。
【００７４】
さらに、本実施形態では、（ｎ＋１）個の架台２０が横方向に配置されているので、上記と同様の処理を横方向にも順次移動しながら行うことで、多数のサブユニット１０が上下２段の状態で、横方向にｎ個連続して載置されることになる。
【００７５】
次に、位置決めされたサブユニット１０に隣り合うように、次のサブユニット１０の支持レール１２左側の設置端部１２ｄを、位置決めされたサブユニット１０の支持レール１２を支持する受け部材（左側受け部）２５に載置する。また、サブユニット１０の支持レール１２右側の設置端部１２ｄを、さらに隣り合う受け部材（右側受け部材）２５に載置する。
【００７６】
以下、同様にして、所定数個のサブユニット１０を順次受け部材２５，２５間に載置した後に、先に位置決めされたサブユニット１０の支持レール１２の後端に当接させる。
【００７７】
次に、受け部材２５に載置されたサブユニット１０の設置端部１２ｅを、固定具２４を用いて縦桟２３の受け部材２５に固定する。
【００７８】
受け部材２５の設置板２５ａに載置されて突き合わされた左右方向Ｘに隣り合う各支持レール１２，１２の設置端部１２ｄ，１２ｄ上へ固定具２４を裏側から載置する載置作業は、次のようにして行うことができる。
【００７９】
受け部材２５の設置板２５ａに載置された一方の支持レール１２の設置端部１２ｄ近傍において、支持レール１２における折返し補強部１２ｃ，１２ｃに囲まれて下方に開放する開口１２ｆから、固定具２４を支持レール１２の長手方向（左右方向Ｘ）に沿わせた状態で斜めに傾斜又は９０°回転させて開口１２ｆに挿入する。さらに、開口１２ｆから挿入した固定具２４を、支持レール１２内で元の略水平姿勢に戻してから、左右方向Ｘに移動させて受け部材２５上に位置させる。
【００８０】
さらに、固定具２４の各側板２４ｄ，２４ｄを支持レール１２，１２の設置端部１２ｄ，１２ｄの折返し補強部１２ｃ，１２ｃの内面に載置させる。このとき、固定具２４の雌ねじ孔２４ｆと受け部材２５の貫通孔２５ｅとの位置がほぼ一致し、受け部材２５の下側から雄ねじＳ１のねじ部Ｓ１ａを受け部材２５の貫通孔２５ｅをそれぞれ通過させて固定具２４の雌ねじ孔２４ｆに螺合させる。これにより、支持レール１２，１２の設置端部１２ｄ，１２ｄを受け部材２５、すなわち縦桟２３に固定することができる。
【００８１】
なお、支持レール１２の左右方向Ｘにおける隣にサブユニット１０が存在しない終端位置（左右端部の架台２０，２０に固定された受け部材２５）は、支持レール１２の終端位置の設置端部１２ｄのみを受け部材２５に載置して固定具２４を取り付けている。
【００８２】
そして、上段部分のサブユニット１０の配置作業を終了した後に、前記と同様にして下段部分のサブユニット１０の設置作業を行う。
【００８３】
以上のように、本実施形態は、太陽電池モジュール用架台（架台２０）を用いて太陽電池モジュールを１０設置する太陽電池モジュールの設置方法であって、桟部材（縦桟２３）の上側の側板２３ｂに受け部材２５の係止片２５ｈを係止させることにより、縦桟２３に受け部材２５を取り付ける工程と、太陽電池モジュール（サブユニット１０）を架台２０に取り付けられた受け部材２５に載置する工程と、サポート部材（支持レール１２）の一部（設置端部１２ｅ）を受け部材２５とで挟持するように、固定部材（固定具２４）を用いて固定する工程とを備えている。
【００８４】
本設置方法によれば、受け部材２５により確実に太陽電池モジュールを受け止めることができるとともに、縦桟２３に受け部材２５を容易且つ迅速に取り付けることができ、太陽電池モジュールを架台に設置する作業をスムーズに行うことができ、その設置作業性を向上することができる。
【００８５】
そして、サブユニット１０〜１０を設置するにあたっては、隣り合う各サブユニット１０，１０を概ね隙間なく隣接させて配置した状態で、受け部材２５の設置板２５ａと各太陽電池モジュール本体１１〜１１の裏面との間に設けられる隙間を通じて、各支持レール１２〜１２の設置端部１２ｅ，１２ｅを固定具２４により架台２０に固定するための作業を行うことができる。これにより、隣り合う各サブユニット１０，１０を概ね隙間なく隣接させて配置した状態で各サブユニット１０，１０を確実に固定することができる。従って、隣り合う各サブユニット１０，１０の間のスペースを削減しつつ発電効率を増大させることが可能となる。
【００８６】
以上により、複数のサブユニット１０が上下２段の状態で、横方向に連続して設置された２段×ｎ列の太陽光発電システムＡを構築することができる。
【００８７】
図２０および図２１は、本発明の他の実施形態を示す。
【００８８】
前述のスリット２３ｃ２が１個の構造では、図１６に示すように受け部材２５を傾斜させた状態で移動させることになるが、この他の実施形態の構造では、スリット２３ｃ２を２個設けることにより、図１６に示した構造のものほど傾斜させなくてもよいものである。このように、縦桟２３に設けるスリット２３ｃ２の数を、受け部材２５の係止片２５ｈの数と同じかそれ以上とすることにより、図１６に示した構造のものほど傾斜させることなく、係止片２５ｈをスリット２３ｃ２に差し込んでから係合孔２３ｃ１へ移動させることができる。
【００８９】
図２０は、縦桟２３に受け部材２５が取り付けられた状態を斜め下から視た概略斜視図である。図２１（ａ）〜（ｃ）は、縦桟２３に受け部材２５を係合する各工程を示す断面図である。
【００９０】
図２０に示すように、縦桟２３の被係合部は、係合孔２３ｃ１と、２個のスリット２３ｃ２、２３ｃ２とから構成されている。スリット２３ｃ２、２３ｃ２の間隔は、受け部材２５の係止片２５ｈ、２５ｈの間隔と同等に設定されている。なお、図１２と同一部材は、同一符号を付してそれぞれの説明は省略する。
【００９１】
図２１に示すように、所定間隔に設置された各架台２０の縦桟２３に受け部材２５を取り付ける場合について説明する。
【００９２】
受け部材２５の両方の係止片２５ｈ、２５ｈを縦桟２３のスリット２３ｃ２、２３ｃ２に挿し込んで（図２１（ａ）および図２１（ｂ）参照）、両方の係止片２５ｈ、２５ｈをスリット２３ｃ２、２３ｃ２から係合孔２３ｃ１ヘと移動させる。
【００９３】
さらに、各係止片２５ｈ、２５ｈの係止部２５ｈ２を係合孔２３ｃ１に引っ掛けて、受け部材２５を縦桟２３に取り付ける（図２１（ｃ）参照）。このとき、一方の係止片２５ｈが係合孔２３ｃ１の端面に当接するため、受け部材２５の位置決めがなされる。
【００９４】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００９５】
Ａ          太陽光発電システム
１０        太陽電池モジュール（サブユニット）
１１        太陽電池モジュール本体
１１ａ      太陽電池セル群
１１ｂ      受光面ガラス
１１ｃ      裏面ガラス
１２        支持レール（サポート部材）
１２ａ      主板
１２ｂ      側板
１２ｃ      折返し補強部
１２ｅ      設置端部
１２ｆ      開口
２０        架台（太陽電池モジュール用架台）
２１        基礎部
２２        アーム部（支柱）
２３        縦桟（桟部材）
２３ａ      搭載傾斜面
２３ｂ      上側の側板
２３ｃ      Ｔ字形孔（被係合部）
２４        固定具（固定部材）
２５        受け部材
２５ａ      設置板（主板）
２５ｂ      上方側板（側板）
２５ｃ      下方側板（側板）
２５ｄ      突片
２５ｈ      係止片
Ｓ１        雄ねじ
【図１】
2014034764.tif 000003
【図２】
2014034764.tif 000004
【図３】
2014034764.tif 000005
【図４】
2014034764.tif 000006
【図５】
2014034764.tif 000007
【図６】
2014034764.tif 000008
【図７】
2014034764.tif 000009
【図８】
2014034764.tif 000010
【図９】
2014034764.tif 000011
【図１０】
2014034764.tif 000012
【図１１】
2014034764.tif 000013
【図１２】
2014034764.tif 000014
【図１３】
2014034764.tif 000015
【図１４】
2014034764.tif 000016
【図１５】
2014034764.tif 000017
【図１６】
2014034764.tif 000018
【図１７】
2014034764.tif 000019
【図１８】
2014034764.tif 000020
【図１９】
2014034764.tif 000021
【図２０】
2014034764.tif 000022
【図２１】
2014034764.tif 000023